【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
ワイヤレス通信ネットワークを介して通信する方法であって、
複数のトーンからメッセージを形成することと、前記複数のトーンが、データトーンと１つまたは複数のＤＣ保護トーンとを含み、前記ＤＣ保護トーンが、｛−２，−１，０，１，２｝とインデックス付けされた５つのＤＣ保護トーンを備え、前記複数のデータトーンが、｛−３，３｝とインデックス付けされたデータトーンを備える、
前記メッセージのデータ部分を搬送するために前記複数のデータトーンのうちの１つのデータトーンの値を設定することと、
前記１つまたは複数のＤＣ保護トーンのうちの１つのＤＣ保護トーンの前記値として前記データトーンの前記値を繰り返すことによって前記ＤＣ保護トーンの値を設定することと、ここにおいて、｛−２｝とインデックス付けされた前記ＤＣ保護トーンが、｛３｝とインデックス付けされた前記データトーンから繰り返される値を備え、｛２｝とインデックス付けされた前記ＤＣ保護トーンが、｛−３｝とインデックス付けされた前記データトーンから繰り返される値を備える、
前記複数のデータトーンと前記１つまたは複数のＤＣ保護トーンとを利用して１つまたは複数のワイヤレス通信デバイスに前記メッセージを送信することと
を備える、
方法。
【請求項２】
前記１つまたは複数のＤＣ保護トーンが、前記メッセージのいかなるデータも搬送しない少なくとも１つのＤＣトーンと前記データトーンから繰り返されるデータを搬送する前記ＤＣ保護トーンとを備える、請求項１に記載の方法。
【請求項３】
前記データトーンから繰り返されるデータを搬送する少なくとも前記ＤＣ保護トーンが、前記複数のデータトーンよりも低いレートで符号化される、請求項１に記載の方法。
【請求項４】
少なくとも前記データトーンと前記データトーンから繰り返されるデータを搬送する前記ＤＣ保護トーンとが、前記データトーンを含まない前記複数のデータトーンよりも低いレートで符号化される、請求項１に記載の方法。
【請求項５】
ワイヤレス通信ネットワークを介して通信するための装置であって、
複数のトーンからメッセージを形成することと、前記複数のトーンが、データトーンと１つまたは複数のＤＣ保護トーンとを含み、前記ＤＣ保護トーンが、｛−２，−１，０，１，２｝とインデックス付けされた５つのＤＣ保護トーンを備え、前記複数のデータトーンが、｛−３，３｝とインデックス付けされたデータトーンを備える、
前記メッセージのデータ部分を搬送するために前記複数のデータトーンのうちの１つのデータトーンの値を設定することと、
前記１つまたは複数のＤＣ保護トーンのうちの１つのＤＣ保護トーンの前記値として前記データトーンの前記値を繰り返すことによって前記ＤＣ保護トーンの値を設定することと、ここにおいて、｛−２｝とインデックス付けされた前記ＤＣ保護トーンが、｛３｝とインデックス付けされた前記データトーンから繰り返される値を備え、｛２｝とインデックス付けされた前記ＤＣ保護トーンが、｛−３｝とインデックス付けされた前記データトーンから繰り返される値を備える、
を行うように構成されたプロセッサと、
前記プロセッサに結合され、および前記複数のデータトーンと前記１つまたは複数のＤＣ保護トーンとを利用して１つまたは複数のワイヤレス通信デバイスに前記メッセージを送信するように構成された送信機と
を備える、
装置。
【請求項６】
前記１つまたは複数のＤＣ保護トーンが、前記メッセージのいかなるデータも搬送しない少なくとも１つのＤＣトーンと前記データトーンから繰り返されるデータを搬送する前記ＤＣ保護トーンとを備える、請求項５に記載の装置。
【請求項７】
前記データトーンから繰り返されるデータを搬送する少なくとも前記ＤＣ保護トーンが、前記複数のデータトーンよりも低いレートで符号化される、請求項５に記載の装置。
【請求項８】
少なくとも前記データトーンと前記データトーンから繰り返されるデータを搬送する前記ＤＣ保護トーンとが、前記データトーンを含まない前記複数のデータトーンよりも低いレートで符号化される、請求項５に記載の装置。
【請求項９】
ワイヤレス通信ネットワークを介して通信するための装置であって、
複数のトーンからメッセージを形成するための手段と、前記複数のトーンが、データトーンと１つまたは複数のＤＣ保護トーンとを含み、前記ＤＣ保護トーンが、｛−２，−１，０，１，２｝とインデックス付けされた５つのＤＣ保護トーンを備え、前記複数のデータトーンが、｛−３，３｝とインデックス付けされたデータトーンを備える、
前記メッセージのデータ部分を搬送するために前記複数のデータトーンのうちの１つのデータトーンの値を設定するための手段と、
前記１つまたは複数のＤＣ保護トーンのうちの１つのＤＣ保護トーンの前記値として前記データトーンの前記値を繰り返すことによって前記ＤＣ保護トーンの値を設定するための手段と、ここにおいて、｛−２｝とインデックス付けされた前記ＤＣ保護トーンが、｛３｝とインデックス付けされた前記データトーンから繰り返される値を備え、｛２｝とインデックス付けされた前記ＤＣ保護トーンが、｛−３｝とインデックス付けされた前記データトーンから繰り返される値を備える、
前記複数のデータトーンと前記１つまたは複数のＤＣ保護トーンとを利用して１つまたは複数のワイヤレス通信デバイスに前記メッセージを送信するための手段と
を備える、
装置。
【請求項１０】
前記１つまたは複数のＤＣ保護トーンが、前記メッセージのいかなるデータも搬送しない少なくとも１つのＤＣトーンと前記データトーンから繰り返されるデータを搬送する前記ＤＣ保護トーンとを備える、請求項９に記載の装置。
【請求項１１】
前記データトーンから繰り返されるデータを搬送する少なくとも前記ＤＣ保護トーンが、前記複数のデータトーンよりも低いレートで符号化される、請求項９に記載の装置。
【請求項１２】
少なくとも前記データトーンと前記データトーンから繰り返されるデータを搬送する前記ＤＣ保護トーンとが、前記データトーンを含まない前記複数のデータトーンよりも低いレートで符号化される、請求項９に記載の装置。
【請求項１３】
実行されたとき、ワイヤレス通信ネットワークを介して通信する方法を実行するコードを備える非一時的コンピュータ可読媒体であって、前記方法は、
複数のトーンからメッセージを形成することと、前記複数のトーンが、データトーンと１つまたは複数のＤＣ保護トーンとを含み、前記ＤＣ保護トーンが、｛−２，−１，０，１，２｝とインデックス付けされた５つのＤＣ保護トーンを備え、前記複数のデータトーンが、｛−３，３｝とインデックス付けされたデータトーンを備える、
前記メッセージのデータ部分を搬送するために前記複数のデータトーンのうちの１つのデータトーンの値を設定することと、
前記１つまたは複数のＤＣ保護トーンのうちの１つのＤＣ保護トーンの前記値として前記データトーンの前記値を繰り返すことによって前記ＤＣ保護トーンの値を設定することと、ここにおいて、｛−２｝とインデックス付けされた前記ＤＣ保護トーンが、｛３｝とインデックス付けされた前記データトーンから繰り返される値を備え、｛２｝とインデックス付けされた前記ＤＣ保護トーンが、｛−３｝とインデックス付けされた前記データトーンから繰り返される値を備える、
前記複数のデータトーンと前記１つまたは複数のＤＣ保護トーンとを利用して１つまたは複数のワイヤレス通信デバイスに前記メッセージを送信することと
を備える、
非一時的コンピュータ可読媒体。
【請求項１４】
前記１つまたは複数のＤＣ保護トーンが、前記メッセージのいかなるデータも搬送しない少なくとも１つのＤＣトーンと前記データトーンから繰り返されるデータを搬送する前記ＤＣ保護トーンとを備える、請求項１３に記載のコンピュータ可読媒体。
【請求項１５】
前記データトーンから繰り返されるデータを搬送する少なくとも前記ＤＣ保護トーンが、前記複数のデータトーンよりも低いレートで符号化される、請求項１３に記載のコンピュータ可読媒体。
【請求項１６】
少なくとも前記データトーンと前記データトーンから繰り返されるデータを搬送する前記ＤＣ保護トーンとが、前記データトーンを含まない前記複数のデータトーンよりも低いレートで符号化される、請求項１３に記載のコンピュータ可読媒体。
【請求項１７】
ワイヤレス通信ネットワークを介して通信する方法であって、
複数のトーンからメッセージを形成することと、前記複数のトーンが、データトーンと１つまたは複数のＤＣ保護トーンとを含み、前記ＤＣ保護トーンが、｛−２，−１，０，１，２｝とインデックス付けされた５つのＤＣ保護トーンを備え、前記複数のデータトーンが、｛−３，３｝とインデックス付けされたデータトーンを備える、
前記メッセージのデータ部分を搬送するために前記複数のデータトーンのうちの１つのデータトーンの値を設定することと、
前記１つまたは複数のＤＣ保護トーンのうちの１つのＤＣ保護トーンの前記値として前記データトーンの前記値を繰り返すことによって前記ＤＣ保護トーンの値を設定することと、ここにおいて、｛−１｝とインデックス付けされた前記ＤＣ保護トーンが、｛４｝とインデックス付けされた前記データトーンから繰り返される値を備え、｛−２｝とインデックス付けされた前記ＤＣ保護トーンが、｛３｝とインデックス付けされた前記データトーンから繰り返される値を備え、｛１｝とインデックス付けされた前記ＤＣ保護トーンが、｛−４｝とインデックス付けされた前記データトーンから繰り返される値を備え、｛２｝とインデックス付けされた前記ＤＣ保護トーンが、｛−３｝とインデックス付けされた前記データトーンから繰り返される値を備える、
前記複数のデータトーンと前記１つまたは複数のＤＣ保護トーンとを利用して１つまたは複数のワイヤレス通信デバイスに前記メッセージを送信することと
を備える、
方法。
【請求項１８】
ワイヤレス通信ネットワークを介して通信する方法であって、
複数のトーンからメッセージを形成することと、前記複数のトーンが、データトーンと１つまたは複数のＤＣ保護トーンとを含み、前記ＤＣ保護トーンが、｛−１，０，１｝とインデックス付けされた３つのＤＣ保護トーンを備え、前記複数のデータトーンが、｛−２，２｝とインデックス付けされたデータトーンを備える、
前記メッセージのデータ部分を搬送するために前記複数のデータトーンのうちの１つのデータトーンの値を設定することと、
前記１つまたは複数のＤＣ保護トーンのうちの１つのＤＣ保護トーンの前記値として前記データトーンの前記値を繰り返すことによって前記ＤＣ保護トーンの値を設定することと、ここにおいて、｛−１｝とインデックス付けされた前記ＤＣ保護トーンが、｛２｝とインデックス付けされた前記データトーンから繰り返される値を備え、｛１｝とインデックス付けされた前記ＤＣ保護トーンが、｛−２｝とインデックス付けされた前記データトーンから繰り返される値を備える、
前記複数のデータトーンと前記１つまたは複数のＤＣ保護トーンとを利用して１つまたは複数のワイヤレス通信デバイスに前記メッセージを送信することと
を備える、
方法。
【請求項１９】
ワイヤレス通信ネットワークを介して通信するための装置であって、
複数のトーンからメッセージを形成することと、前記複数のトーンが、データトーンと１つまたは複数のＤＣ保護トーンとを含み、前記ＤＣ保護トーンが、｛−２，−１，０，１，２｝とインデックス付けされた５つのＤＣ保護トーンを備え、前記複数のデータトーンが、｛−３，３｝とインデックス付けされたデータトーンを備える、
前記メッセージのデータ部分を搬送するために前記複数のデータトーンのうちの１つのデータトーンの値を設定することと、
前記１つまたは複数のＤＣ保護トーンのうちの１つのＤＣ保護トーンの前記値として前記データトーンの前記値を繰り返すことによって前記ＤＣ保護トーンの値を設定することと、ここにおいて、｛−１｝とインデックス付けされた前記ＤＣ保護トーンが、｛４｝とインデックス付けされた前記データトーンから繰り返される値を備え、｛−２｝とインデックス付けされた前記ＤＣ保護トーンが、｛３｝とインデックス付けされた前記データトーンから繰り返される値を備え、｛１｝とインデックス付けされた前記ＤＣ保護トーンが、｛−４｝とインデックス付けされた前記データトーンから繰り返される値を備え、｛２｝とインデックス付けされた前記ＤＣ保護トーンが、｛−３｝とインデックス付けされた前記データトーンから繰り返される値を備える、
を行うように構成されたプロセッサと、
前記プロセッサに結合され、および前記複数のデータトーンと前記１つまたは複数のＤＣ保護トーンとを利用して１つまたは複数のワイヤレス通信デバイスに前記メッセージを送信するように構成された送信機と
を備える、
装置。
【請求項２０】
ワイヤレス通信ネットワークを介して通信するための装置であって、
複数のトーンからメッセージを形成することと、前記複数のトーンが、データトーンと１つまたは複数のＤＣ保護トーンとを含み、前記ＤＣ保護トーンが、｛−１，０，１｝とインデックス付けされた３つのＤＣ保護トーンを備え、前記複数のデータトーンが、｛−２，２｝とインデックス付けされたデータトーンを備える、
前記メッセージのデータ部分を搬送するために前記複数のデータトーンのうちの１つのデータトーンの値を設定することと、
前記１つまたは複数のＤＣ保護トーンのうちの１つのＤＣ保護トーンの前記値として前記データトーンの前記値を繰り返すことによって前記ＤＣ保護トーンの値を設定することと、ここにおいて、｛−１｝とインデックス付けされた前記ＤＣ保護トーンが、｛２｝とインデックス付けされた前記データトーンから繰り返される値を備え、｛１｝とインデックス付けされた前記ＤＣ保護トーンが、｛−２｝とインデックス付けされた前記データトーンから繰り返される値を備える、
を行うように構成されたプロセッサと、
前記プロセッサに結合され、および前記複数のデータトーンと前記１つまたは複数のＤＣ保護トーンとを利用して１つまたは複数のワイヤレス通信デバイスに前記メッセージを送信するように構成された送信機と
を備える、
装置。